(57)【要約】【課題】本発明は、支持体中に埋設された固形担体による美観が付与された新規な外用貼付剤、前記外用貼付剤の包装構造、及び前記外用貼付剤の製造方法を提供することを目的とする。【解決手段】  不織布からなる支持体２として、固形担体３を拘束する芯地２０と、前記芯地２０の表面を被覆する表地２１と、前記芯地２０の裏面を被覆する裏地２２と、の三層構造となされたものを用いることにより、前記固形担体３が前記支持体２に埋設された外用貼付剤とする。【選択図】図１
2019162258.tif 000002
【特許請求の範囲】
【請求項１】
皮膚表面に貼付されて使用される外用貼付剤であって、不織布からなる支持体と、前記支持体に埋設された固形担体と、を具備してなり、
前記支持体が、
前記固形担体を拘束する芯地と、
前記芯地の表面を被覆する表地と、
前記芯地の裏面を被覆する裏地と、
の三層構造となされたことを特徴とする外用貼付剤。
【請求項２】
請求項１に記載の外用貼付剤において、
前記固形担体が植物組織片である外用貼付剤。
【請求項３】
請求項２に記載の外用貼付剤において、
前記植物組織片が花弁片である外用貼付剤。
【請求項４】
請求項１ないし３のいずれか１項に記載の外用貼付剤が、薬液と共に袋材に封入されてなることを特徴とする外用貼付剤の包装構造。
【請求項５】
請求項１ないし３のいずれか１項に記載の外用貼付剤の製造方法であって、
前記芯地を作成する芯地作成工程と、
前記表地を作成する表地作成工程と、
前記裏地を作成する裏地作成工程と、
前記芯地の表裏面を前記表地及び前記裏地で被覆する積層工程と、
を実行し、
前記芯地作成工程では、水中に繊維と前記固形担体とを分散させる湿式法にて前記芯地を形成することを特徴とする外用貼付剤の製造方法。
【請求項６】
請求項５に記載の外用貼付剤の製造方法において、
前記積層工程では、スパンレース法にて前記芯地の表裏面を前記表地及び前記裏地で被覆する外用貼付剤の製造方法。
【請求項７】
請求項５に記載の外用貼付剤の製造方法において、
前記積層工程では、熱圧着法にて前記芯地の表裏面を前記表地及び前記裏地で被覆する外用貼付剤の製造方法。
【発明の詳細な説明】
【技術分野】
【０００１】
本発明は、皮膚表面に貼着されて使用される外用貼付剤、前記外用貼付剤の包装構造、及び前記外用貼付剤の製造方法に関する。
【背景技術】
【０００２】
外用貼付剤は、皮膚表面に貼付されることによって、皮膚表面に冷感や温感を与えたり、前記基剤層中に含まれる有効成分を経皮吸収的に投与したりするものである。
【０００３】
前記外用貼付剤としては、不織布、樹脂シート又は樹脂フィルムからなるシート状の支持体に乳液状の基剤を含侵させたものや、前記支持体の片面にクリーム状、軟膏状、或いはゲル状の基剤層が積層されたものが一般的である。
【０００４】
又、二枚の不織布の間に保湿剤を挟み込み、熱圧着やエンボスロ−ラ−による点接着等により前記保湿剤を担持してなる外用貼付剤（保湿美容シート）も開発されている（例えば、下記特許文献１参照。）。
【０００５】
最近では、支持体の他面に隈取模様を施すことにより、独自の美観が付与された外用貼付剤（美容パック材）も開発されている（例えば、下記特許文献２参照。）。
【先行技術文献】
【特許文献】
【０００６】
【特許文献１】特開平９−２３８７３８号公報
【特許文献２】特開２０１５−１５９８４２号公報
【発明の概要】
【発明が解決しようとする課題】
【０００７】
前記特許文献１の保湿美容シートは、水分に含侵させることによって溶解させた前記保湿剤を前記不織布を通じて皮膚表面に施用する使用態様とされており、前記保湿剤は、水に速やかに溶け得るように粉末状となされている。
【０００８】
そのため、前記特許文献１では、水に溶け難い成分を担持させることを予定しておらず、比較的大きな担体を担持することも予定していない。又、粉末状となされた前記保湿剤を、前記不織布に対して確実に固定する必要もない。
【０００９】
一方、前記特許文献２の美容パック材では、水分に含侵させた際に支持体に印刷された隈取模様が溶出しないように、油性のグラビアインキにて隈取模様を印刷している。しかしながら、前記特許文献２の美容パック材は、単なる絵柄の付与に過ぎなかった。
【００１０】
本発明は前記技術的課題に鑑みて開発されたものであり、支持体中に埋設された固形担体による美観が付与された新規な外用貼付剤、前記外用貼付剤の包装構造、及び前記外用貼付剤の製造方法を提供することを目的とする。
【課題を解決するための手段】
【００１１】
前記技術的課題を解決するための本発明の外用貼付剤は、皮膚表面に貼付されて使用される外用貼付剤であって、不織布からなる支持体と、前記支持体に埋設された固形担体と、を具備してなり、前記支持体が、前記固形担体を拘束する芯地と、前記芯地の表面を被覆する表地と、前記芯地の裏面を被覆する裏地と、の三層構造となされたことを特徴とする（以下、「本発明貼付剤」と称する。）。
【００１２】
前記本発明貼付剤においては、前記固形担体が植物組織片であるものが好ましい態様となる。
【００１３】
前記本発明貼付剤においては、前記植物組織片が花弁片であるものが好ましい態様となる。
【００１４】
前記技術的課題を解決するための本発明の外用貼付剤の包装構造は、前記本発明貼付剤が、薬液と共に袋材に封入されてなることを特徴とする（以下、「本発明包装構造」と称する。）。
【００１５】
前記技術的課題を解決するための本発明の外用貼付剤の製造方法は、前記本発明貼付剤の製造方法であって、前記芯地を作成する芯地作成工程と、前記表地を作成する表地作成工程と、前記裏地を作成する裏地作成工程と、前記芯地の表裏面を前記表地及び前記裏地で被覆する積層工程と、を実行し、前記芯地作成工程では、水中に繊維と前記固形担体とを分散させる湿式法にて前記芯地を形成することを特徴とする（以下、「本発明製造方法」と称する。）。
【００１６】
前記本発明製造方法においては、前記積層工程では、スパンレース法にて前記芯地の表裏面を前記表地及び前記裏地で被覆することが好ましい態様となる。
【００１７】
前記本発明製造方法においては、前記積層工程では、熱圧着法にて前記芯地の表裏面を前記表地及び前記裏地で被覆することが好ましい態様となる。
【発明の効果】
【００１８】
本発明によれば、独自の美観が付与された外用貼付剤を提供することができる。
【図面の簡単な説明】
【００１９】
【図１】図１（ａ）は、実施形態１に係る本発明貼付剤を示す正面図であり、図１（ｂ）は、前記本発明貼付剤を拡大して示す断面図である。
【図２】図２（ａ）は、実施形態１に係る本発明包装構造を示す正面図であり、図２（ｂ）は、前記本発明包装構造から本発明貼付剤を取り出す様子を示す斜視図である。
【図３】図３は、実施形態１に係る本発明製造方法の芯地作成工程を示す斜視図である。
【図４】図４は、前記本発明製造方法の積層工程を示す斜視図（ａ）、と断面図（ｂ）である。
【図５】図５（ａ）は、実施形態２に係る本発明貼付剤を示す正面図であり、図５（ｂ）は、前記本発明貼付剤を拡大して示す断面図である。
【図６】図６（ａ）は、実施形態２に係る本発明包装構造を示す正面図であり、図６（ｂ）は、前記本発明包装構造から本発明貼付剤を取り出す様子を示す斜視図である。
【図７】図７は、実施形態２に係る本発明製造方法の積層工程を示す斜視図（ａ）、と断面図（ｂ）である。
【発明を実施するための形態】
【００２０】
以下、本発明の実施形態を説明するが、本発明はこれらの実施形態に限定されるものではない。
【００２１】
［実施形態１］
＜本発明貼付剤１＞
図１に、実施形態１に係る本発明貼付剤１を示す。前記本発明貼付剤１は、「支持体２」と、「固形担体３」と、を具備する。
【００２２】
‐支持体２‐
本発明においては、前記支持体２として不織布が用いられる。図１（ｂ）に示すように、前記支持体２は、芯地２０と、前記芯地２０の表面を被覆する表地２１と、前記芯地２０の裏面を被覆する裏地２２と、の三層構造となされる。本実施形態においては、前記芯地２０、前記表地２１、及び前記裏地２２として、いずれも目付２０ｇ／ｍ２のレーヨン系不織布を用いた。又、本実施形態において、前記支持体２は、人の顔面に貼付させるための顔型を模した形状にカットされており、目に相当する部分及び口に相当する部分に開口部（２１Ｅ、２１Ｍ）が設けられている。又、顔面に貼付された際に、顔の立体形状に追随し易いように、鼻に相当する部分にＵ字状の切り込み２２Ｎが設けられると共に、外縁の複数個所に直線状の切り込み２２Ｓが設けられている。
【００２３】
‐固形担体３‐
本発明において、前記固形担体３は、前記支持体２に埋設された状態となされる。更に詳しく説明すると、前記固形担体３は、前記芯地２０の繊維網に拘束された状態で、前記表地２１と前記裏地２２によって覆われることによって、前記支持体２に埋設される。本実施形態においては、前記固形担体３として直径１．５ｍｍのプラスチック製の球状体（ビーズ）を用いた。なお、前記固形担体３は、個々に色違いとなされ複数個を用いた。
【００２４】
＜本発明包装構造１０＞
図２に、本実施形態に係る本発明包装構造１０を示す。前記本発明包装構造１０は、前記本発明貼付剤１が、薬液Ｌと共に袋材１１に封入されてなるものである。前記本発明包装構造１０は、前記袋材１１を開放し、その中から前記本発明貼付剤１を取り出して使用する態様となされている。
【００２５】
＜本発明製造方法＞
以下、前記本発明貼付剤１を製造するための本発明製造方法を説明する。前記本発明製造方法では、「芯地作成工程」と、「表地作成工程」と、「裏地作成工程」と、「積層工程」と、を実行する。
【００２６】
‐芯地作成工程‐
前記芯地作成工程では、前記芯地２０を作成する。図３に示すように、前記本発明製造方法においては、この芯地作成工程の際、形成される前記芯地２０にて前記固形担体３を拘束すべく、水中に繊維と前記固形担体３とを分散させる湿式法にて前記芯地２０を作成した。
【００２７】
‐表地作成工程、裏地作成工程‐
前記表地作成工程では、前記表地２１を作成する。一方、前記裏地作成工程では、前記裏地２２を作成する。本実施形態においては、前記芯地作成工程と同様の湿式法（但し、前記固形担体３は用いない。）にて前記表地２１及び前記裏地２２を作成した。
【００２８】
‐積層工程‐
前記積層工程では、前記芯地２０の表裏面を前記表地２１及び前記裏地２２で被覆する。図４に示すように、本実施形態においては、前記芯地２０を挟んで表裏面に配置された前記表地２１及び前記裏地２２に対し、高圧の水流を柱状に噴射して繊維を絡ませるスパンレース法によって、前記積層工程を実行した。
【００２９】
前記構成を有する前記本発明貼付剤１は、前記支持体２に埋設された前記固形担体３の存する部分が盛り上がるため、従来の外用貼付剤にはなかった立体的な美観が付与されたものとなる。又、前記支持体２を構成する前記表地２１や裏地２２を通して、前記固形担体３の色や形状を視認することができるため、前記固形担体３を模様として認識することもできる。
【００３０】
更に、前記固形担体３は、前記芯地２０に拘束された状態で、前記表地２１と前記裏地２２によって覆われることによって前記支持体２に埋設されているから、流通時や販売時、及び使用時において、前記固形担体３がずれ難いものとなる。
【００３１】
［実施形態２］
＜本発明貼付剤１＞
図５に、実施形態２に係る本発明貼付剤１を示す。前記本発明貼付剤１は、「支持体２」と、「固形担体３」と、を具備する。
【００３２】
‐支持体２‐
本実施形態においては、芯地２０、表地２１、及び裏地２２として、いずれも目付２０ｇ／ｍ２のＰＥＴ系不織布を用いた。又、前記実施形態１と同様、本実施形態においても、前記支持体２を、人の顔面に貼付させるための顔型を模した形状にカットした。
【００３３】
‐固形担体３‐
本実施形態においては、前記固形担体３として植物組織片（バラの花弁片）であって乾燥状態のもの（乾燥花（ドライフラワー））を用いた。
【００３４】
＜本発明包装構造１０＞
図６に、本実施形態に係る本発明包装構造１０を示す。前記本発明包装構造１０は、前記本発明貼付剤１が、薬液Ｌと共に袋材１１に封入されてなるものである。前記本発明包装構造１０は、前記袋材１１を開放し、その中から前記本発明貼付剤１を取り出して使用する態様となされている。
【００３５】
＜本発明製造方法＞
以下、前記本発明貼付剤１を製造するための本発明製造方法を説明する。前記本発明製造方法では、「芯地作成工程」と、「表地作成工程」と、「裏地作成工程」と、「積層工程」と、を実行する。
【００３６】
‐芯地作成工程‐
前記実施形態１と同様にして、前記芯地作成工程では、形成される前記芯地２０にて前記固形担体３を拘束すべく、水中に繊維と前記固形担体３とを分散させる湿式法にて前記芯地２０を作成した。
【００３７】
‐表地作成工程、裏地作成工程‐
前記実施形態１と同様にして、前記表地作成工程及び前記裏地作成工程では、前記芯地作成工程と同様の湿式法（但し、前記固形担体３は用いない。）にて前記表地２１及び前記裏地２２を作成した。
【００３８】
‐積層工程‐
図７に示すように、本実施形態においては、前記芯地２０を挟んで表に裏面に配置された前記表地２１及び前記裏地２２に対し、熱ロールＲの間を通して熱圧着する熱圧着法によって、前記積層工程を実行した。
【００３９】
前記構成を有する前記本発明貼付剤１は、前記支持体２に埋設される前記固形担体３として植物組織片を用いているから、前記植物組織片の有する植物エキスや効能を経皮吸収的に肌に施用することができる。特に、前記植物組織片として花弁片を用いれば、前記花弁片から発する香りによるアロマ効果が期待できる。又、前記花弁片は、本発明貼付剤１に美麗な外観を付与することができる。
【００４０】
その余は、前記実施形態１で説明した事項と同様のため、繰り返しを避けるべくここでは説明を省略する。
【００４１】
ところで、前記各実施形態において、前記支持体２は、いずれも目付２０ｇ／ｍ２の芯地２０、表地２１、及び裏地２２を積層した三層構造（目付６０ｇ／ｍ２）としているが、前記芯地２０、前記表地２１、及び前記裏地２２の目付量は特に限定されない。又、前記芯地２０、前記表地２１、及び前記裏地２２の目付量を統一する必要もない。前記表地２１、及び前記裏地２２の目付量は、埋設された固形担体３が透けて見えるよう、且つ、前記支持体２に十分な強度が得られるように、１０〜３５ｇ／ｍ２（より好ましくは、１５〜３０ｇ／ｍ２）とすることが好ましい。一方、前記芯地２０の目付量は、５〜３０ｇ／ｍ２（より好ましくは、１０〜１５ｇ／ｍ２）とすることが好ましい。
【００４２】
前記各実施形態では前記支持体２として、レーヨン系不織布やＰＥＴ系不織布を用いたが、前記支持体２は、特に限定されるものではない。本発明においては、例えば、ナイロン、ビニロン、ポリエステル、レーヨン、アセテート、アクリル、ポリエチレン、ポリプロピレン、ポリ塩化ビニル等の人工繊維、綿、麻、絹等の天然繊維から選ばれる１種または２種以上の素材を用いて形成された各種形状の不織布が前記支持体２として好適に用いられる。そして、前記支持体２の形状は貼付領域の形状に応じて適宜決定することができ、必ずしも人の顔型を模した形状とする必要はない。
【００４３】
前記各実施形態では、前記支持体２を構成する芯地２０、表地２１、及び裏地２２につき、いずれも湿式法にて作成したが、前記芯地２０以外は、湿式法以外の製法（例えば、乾式法やスパンボンド法、或いはメルトブローン法）によって作成しても良い。
【００４４】
前記実施形態１では、前記積層工程をスパンレース法によって実行し、前記実施形態２では、前記積層工程を熱圧着法によって実行したが、前記積層工程は、その他の手段（例えば、ケミカルボンド法やニードルパンチ法）によって実行しても良い。但し、前記実施形態１の様に固形担体３の剛性が十分に高いときは、スパンレース法によって前記積層工程を実行することが好ましい。一方、固形担体３の剛性が不十分な場合には、熱圧着法によって前記積層工程を実行することが好ましい。なお、前記支持体２を構成する芯地２０、表地２１、及び裏地２２中に熱融着繊維が含まれていない場合に熱圧着を行うにあたっては、各層間にホットメルト系接着剤を塗布した後、熱圧着を行えば良い。
【００４５】
前記実施形態１では、前記固形担体３としてビーズを用い、前記実施形態２では、前記固形担体３として植物組織片を用いたが、前記固形担体３としては特に限定されない。前記固形担体３としては、ビーズやガラス玉などの工業製品や、生花、乾燥花、乾燥葉、海藻等の植物組織片を用いることができる。又、前記固形担体３の粒径（前記固形担体３を完全な球体と仮定した場合に、その直径に相当する便宜的な値）は、１〜４０ｍｍ（より好ましくは、５〜３０ｍｍ）とすることが好ましい。
【００４６】
なお、本発明は、その精神又は主要な特徴から逸脱することなく、他のいろいろな形態で実施することができる。そのため、上述の実施例はあらゆる点で単なる例示に過ぎず、限定的に解釈してはならない。本発明の範囲は特許請求の範囲によって示すものであって、明細書本文には何ら拘束されない。更に、特許請求の範囲の均等範囲に属する変形や変更は、すべて本発明の範囲内のものである。
【産業上の利用可能性】
【００４７】
本発明貼付剤は、皮膚表面に貼付されて使用される外用貼付剤として好適に用いられる。
【符号の説明】
【００４８】
１  本発明貼付剤（外用貼付剤）
２  支持体
２０  芯地
２１  表地
２２  裏地
３  固形担体
１０  本発明包装構造
１１  袋材
Ｌ  薬液
【図１】
2019162258.tif 000003
【図２】
2019162258.tif 000004
【図３】
2019162258.tif 000005
【図４】
2019162258.tif 000006
【図５】
2019162258.tif 000007
【図６】
2019162258.tif 000008
【図７】
2019162258.tif 000009